(57)【要約】【課題】ファインダケース内の光学部材への塵埃等の付着を抑制して、ファインダケース内の光学部材を清掃する作業の頻度を軽減することができる撮像装置を提供する。【解決手段】表示素子８および拡大レンズ４を保持するビューファインダ部３がバッテリ装着部１４の上側に配置される。ビューファインダ部３の底部に、表示素子８と拡大レンズ４との間の空間と繋がる穴部１４ａを形成するとともに、バッテリ装着部１４にバッテリを装着する際に、バッテリの上面に当接する緩衝材５を備える。緩衝材５は粘着面が穴部１４ａをふさぐように、ビューファインダ部３の底部の底部に貼られる。【選択図】図３
2012129619.tif 000002
【特許請求の範囲】
【請求項１】
表示素子および拡大レンズを保持するビューファインダ部がバッテリ装着部の上側に配置される撮像装置において、
前記ビューファインダ部の底部に、前記表示素子と前記拡大レンズとの間の空間と繋がる穴部を形成するとともに、前記バッテリ装着部にバッテリを装着する際に、前記バッテリの上面に当接する弾性部材を備え、
前記弾性部材は粘着面が前記穴部をふさぐように、前記ビューファインダ部の底部に貼られることを特徴とする撮像装置。
【請求項２】
前記弾性部材は粘着テープを介して前記ビューファインダ部の底部に貼られる
ことを特徴とする請求項１に記載の撮像装置。
【発明の詳細な説明】
【技術分野】
【０００１】
本発明は、ビューファインダ部を備えるデジタルビデオカメラ等の撮像装置に関する。
【背景技術】
【０００２】
図４に、デジタルビデオカメラ等の撮像装置における従来のビューファイダ部の一例を示す（特許文献１）。
【０００３】
図４（ａ）に示すビューファインダ部１００は、ファインダケース１０１内に表示素子１０２と拡大レンズ１０４とが拡大レンズ１０４の光軸方向に互いに離間して設けられ、表示素子１０２の表示面には、保護部材１０３が取り付けられている。また、ファインダケース１０１の保護部材１０３と拡大レンズ１０４との間の壁部には、穴部１０１ａが形成されており、穴部１０１ａは、通常、蓋体１０５により塞がれている。
【０００４】
そして、保護部材１０３や拡大レンズ１０４に塵埃等が付着した場合、図４（ｂ）に示すように、蓋体１０５を取り外すことで、保護部材１０３や拡大レンズ１０４を清掃して塵埃等を除去し、除去した塵埃等を穴部１０１ａから外部に排出することができる。
【先行技術文献】
【特許文献】
【０００５】
【特許文献１】特許第３８６８８７２号公報
【発明の概要】
【発明が解決しようとする課題】
【０００６】
しかし、上記特許文献１では、保護部材１０３や拡大レンズ１０４に付着した塵埃等を除去して穴部１０１ａから外部に排出したとしても、ファインダケース１０１内に塵埃等が残っていた場合、再び保護部材１０３や拡大レンズ１０４に塵埃等が付着してしまう。このため、蓋体１０５で穴部１０１ａを開け閉めしてファインダケース１０１内の部材を清掃する作業の頻度が増えてしまう。
【０００７】
そこで、本発明は、ファインダケース内の光学部材への塵埃等の付着を抑制して、ファインダケース内の光学部材を清掃する作業の頻度を軽減することができる撮像装置を提供することを目的とする。
【課題を解決するための手段】
【０００８】
上記目的を達成するために、本発明の撮像装置は、表示素子および拡大レンズを保持するビューファインダ部がバッテリ装着部の上側に配置される撮像装置において、前記ビューファインダ部の底部に、前記表示素子と前記拡大レンズとの間の空間と繋がる穴部を形成するとともに、前記バッテリ装着部にバッテリを装着する際に、前記バッテリの上面に当接する弾性部材を備え、前記弾性部材は粘着面が前記穴部をふさぐように、前記ビューファインダ部の底部に貼られることを特徴とする。
【発明の効果】
【０００９】
本発明によれば、ファインダケース内の光学部材への塵埃等の付着を抑制することができるので、ファインダケース内の光学部材を清掃する作業の頻度を軽減することが可能となる。
【図面の簡単な説明】
【００１０】
【図１】本発明の撮像装置の実施形態の一例であるデジタルビデオカメラを後方から見た外観斜視図である。
【図２】図１に示すデジタルビデオカメラを底面側から見た斜視図で、カメラ本体からバッテリを取り外した状態を示す図である。
【図３】ビューファインダ部の光軸方向に沿う断面図である。
【図４】従来のビューファインダ部の光軸方向に沿う断面図である。
【発明を実施するための形態】
【００１１】
以下、本発明の実施形態の一例を図面を参照して説明する。
【００１２】
図１は、本発明の撮像装置の実施形態の一例であるデジタルビデオカメラを後方から見た外観斜視図である。
【００１３】
図１に示すように、本実施形態のデジタルビデオカメラは、カメラ本体１の前側（被写体側）に撮影レンズ１ａが設けられ、後側（撮影者側）には、バッテリ２が着脱可能に装着されている。カメラ本体１のバッテリ２の上側には、ビューファインダ部３が設けられ、ビューファインダ部３の覗き部には、拡大レンズ４が配置されている。また、ビューファインダ部３の側部には、視度調整用操作ノブ３ａが設けられている。ここで、カメラ本体１は、本発明の装置本体の一例に相当する。
【００１４】
本実施形態では、カメラ本体１の後側に比較的重量が大きいバッテリ２を配置することで、バッテリ２とカメラ本体１の前側に配置される撮影レンズ１ａの重量とをバランスさせてカメラ本体１の重心をカメラ本体１の中心に位置させることが可能となる。また、ビューファインダ部３をバッテリ２の上側に配置することで、ビューファインダ部３が撮影レンズ１ａの光軸近傍に配置することができる。
【００１５】
図２は、図１に示すデジタルビデオカメラを底面側から見た斜視図である。なお、図２では、カメラ本体１からバッテリ２を取り外した状態を示す。
【００１６】
図２に示すように、カメラ本体１の後側の底部には、バッテリ２が装着されるカバー部１４がねじ６等により着脱可能に固定されている。カバー部１４には、カバー部１４に装着されたバッテリ２の上面に当接することで、バッテリ２のがたつきを防止するための緩衝材５が交換可能に貼り付けられている。ここで、カバー部１４は、本発明のバッテリ装着部の一例に相当し、緩衝材５は、本発明の弾性部材の一例に相当する。
【００１７】
図３は、ビューファインダ部３の光軸方向に沿う断面図である。
【００１８】
図３に示すように、ビューファインダ部３は、ファインダケース１１の内部に、光学部材として、拡大レンズ４を保持するレンズホルダ１３と、拡大レンズ４の被写体側に配置された表示素子８を保持する素子ホルダ１０とが設けられている。素子ホルダ１０の拡大レンズ４を向く側の端部には、表示素子８の表示面を覆う透明板状の保護部材９が取り付けられている。
【００１９】
また、ファインダケース１１の被写体側の端部には、素子ホルダ１０をファインダケース１１に固定するための固定部材１２が取り付けられている。固定部材１２は、押圧部材を介して表示素子８の背面（被写体側を向く面）を押圧した状態でファインダケース１１に取り付けられる。
【００２０】
これにより、保護部材９が素子ホルダ１０によりファインダケース１１の内周部から径方向内方に延びる環状壁１１ａに対して軸方向に押し付けられて圧着し、ファインダケース１１内の保護部材９と固定部材１２との間に密閉された防塵空間が形成される。なお、本実施形態では、ファインダケース１１内の保護部材９と拡大レンズ４との間の空間は、後述するように、レンズホルダ１３が光軸方向に移動可能とされているため、密閉されていない。
【００２１】
レンズホルダ１３は、ファインダケース１１に対して光軸方向に移動可能に保持されており、視度調整用操作ノブ３ａを操作することで、不図示の駆動機構により光軸方向に駆動される。これにより、撮影者の視力に応じたピント調整が可能となっている。
【００２２】
ここで、本実施形態では、ファインダケース１１の保護部材９と拡大レンズ４との間の壁に、穴部１１ｂが形成されている。また、カバー部１４には、穴部１１ｂと拡大レンズ４との間の空間に連通する穴部１４ａが形成されている。ここで、穴部１１ｂと拡大レンズ４との間の空間は、本発明の表示素子と拡大レンズとの間の空間の一例に相当し、穴部１４ａは、本発明の穴部の一例に相当する。
【００２３】
そして、緩衝材５が穴部１４ａを塞ぐようにカバー部１４に外側から粘着テープ７を介して交換可能に貼り付けられている。従って、穴部１１ｂから見ると、粘着テープ７の粘着面が露出した状態となる。このため、カメラ本体１を正位置で使用するか、又は水平面に置いておくことで、ファインダケース１１内の保護部材９より拡大レンズ４側の空間に侵入した塵埃等は重力で粘着テープ７の粘着面に落下して吸着される。
【００２４】
以上説明したように、本実施形態では、ファインダケース１１内に侵入した塵埃等が重力で粘着テープ７の粘着面に落下して吸着されるので、ファインダケース１１内の保護部材９や拡大レンズ４への塵埃等の付着を抑制することができる。これにより、保護部材９や拡大レンズ４を清掃する作業の頻度を軽減することができる。
【００２５】
また、カバー部１４は、ねじ６を外すことで簡単にカメラ本体１から取り外すことができるので、カバー部１４から緩衝材５を剥がすことなく、ファインダケース１１の穴部１１ｂから保護部材９や拡大レンズ４を容易に清掃することができる。
【００２６】
更に、緩衝材５を交換することにより、同時に粘着テープ７を新しくすることができるので、簡単に粘着面の粘着力を復活させることができ、また、緩衝材５を剥がした際に穴部１４ａからも保護部材９と拡大レンズ４を清掃することも可能である。
【００２７】
更に、バッテリ２のがたつきを防止する緩衝材５をカバー部１４に貼り付けるための粘着テープ７の粘着面にファインダケース１１内の塵埃等を吸着させているので、新たに粘着部材を追加することなく、安価に塵埃等の吸着効果を得ることができる。
【００２８】
なお、本発明の構成は、上記実施形態に例示したものに限定されるものではなく、材質、形状、寸法、形態、数、配置箇所等は、本発明の要旨を逸脱しない範囲において適宜変更可能である。
【００２９】
例えば、上記実施形態では、カバー部１４の穴部１４ａを粘着テープ７を介して緩衝材５で塞ぐ場合を例示したが、カバー部１４の穴部１４ａを粘着材層を有するバーコードラベル等のシート状部材で塞ぐようにしてもよい。
【００３０】
また、上記実施形態では、保護部材９と拡大レンズ４との間の空間が密閉されていないタイプのビューファインダ部３に適用した場合を例示したが、これに限定されない。例えば、ビューファインダ部３の拡大レンズ４の外側の開口部に透明窓部材を貼り付けて、保護部材９と拡大レンズ４との間の空間の密閉性を確保したタイプのビューファインダ部に適用してもよい。
【符号の説明】
【００３１】
１  カメラ本体
２  バッテリ
３  ビューファインダ部
４  拡大レンズ
５  緩衝材
７  粘着テープ
８  表示素子
１１  ファインダケース
１１ａ  穴部
１４ａ  穴部
【図１】
2012129619.tif 000003
【図２】
2012129619.tif 000004
【図３】
2012129619.tif 000005
【図４】
2012129619.tif 000006